(57)【要約】【課題】  聴衆に見せることを意図しない領域または画像が聴衆に認識されないようにするプロジェクタを提供する。【解決手段】  画像を投射する投射部２６と、前記画像を記憶する画像記憶部３０と、前記画像記憶部から前記画像を読み出し前記画像の投射前に前記画像を一時的に保存する第１メモリ３４と、前記画像に対して合成する編集パターンを記憶する編集パターン記憶部３２と、前記第１メモリから読み出された前記画像を表示する表示部１２と、前記画像と前記編集パターンとを合成し編集画像を生成する画像処理部２８と、前記編集画像を一時的に保存する第２メモリ３６と、前記第２メモリから前記編集画像を読み出し前記投射部により投射する投射制御部４４とを備える。【選択図】  図２
2010039410.tif 000002
【特許請求の範囲】
【請求項１】
画像を投射する投射部と、
前記画像を記憶する画像記憶部と、
前記画像記憶部から前記画像を読み出し前記画像の投射前に前記画像を一時的に保存する第１メモリと、
前記画像に対して合成する編集パターンを記憶する編集パターン記憶部と、
前記第１メモリから読み出された前記画像を表示する表示部と、
前記画像と前記編集パターンとを合成し編集画像を生成する画像処理部と、
前記編集画像を一時的に保存する第２メモリと、
前記第２メモリから前記編集画像を読み出し前記投射部により投射する投射制御部と
を備えることを特徴とするプロジェクタ。
【請求項２】
前記投射制御部により投射された前記編集画像を記憶する投射画像記憶部を備えることを特徴とする請求項１記載のプロジェクタ。
【請求項３】
前記表示部は、
前記編集画像を表示する編集画像表示領域と、
前記第１メモリに保存された前記画像を表示する元画像表示領域と、
前記第２メモリに保存された前記編集画像を表示する投射画像表示領域と
を有し、
前記編集画像表示領域のサイズは、前記投射画像表示領域のサイズより大きく、
前記投射画像表示領域のサイズは、前記元画像表示領域のサイズより大きいことを特徴とする請求項１記載のプロジェクタ。
【請求項４】
前記表示部は、タッチセンサを更に備え、
前記編集画像表示領域内或いは前記編集画像表示領域に隣接して前記編集パターンをアイコン表示または縮小表示し、
前記編集パターンを前記編集画像表示領域に表示されている前記画像上にドラッグアンドドロップにより表示し、
前記編集パターンは、前記タッチセンサにおける操作により移動または変形可能であることを特徴とする請求項３記載のプロジェクタ。
【請求項５】
前記編集画像表示領域または前記投射画像表示領域に表示された前記画像または前記編集画像を前記表示部の非投射指示領域へ移動することにより該画像を非投射画像とすることを特徴とする請求項３または４記載のプロジェクタ。
【発明の詳細な説明】
【技術分野】
【０００１】
本発明は、プロジェクタに関するものである。
【背景技術】
【０００２】
投射中の画像の領域の一部を隠す、いわゆるマスク表示を行うことができるプロジェクタが知られている（例えば、特許文献１参照）。このプロジェクタにおいては、予め設定されたマスクパターンをユーザの操作により表示し投射中の画像の領域の一部を隠す処理が行われる。
【特許文献１】特開２００８−１０２３３２号公報
【発明の開示】
【発明が解決しようとする課題】
【０００３】
しかしながら、このプロジェクタにおいては聴衆に見せることを意図しない領域を含む画像であっても一旦スクリーンに投射し、その後ユーザの操作により投射中の画像の領域の一部を隠す処理を行うため、スクリーンを見ている聴衆にプライベートな画像が認識される虞がある。
【０００４】
本発明の目的は、聴衆に見せることを意図しない領域または画像が聴衆に認識されないようにするプロジェクタを提供することである。
【課題を解決するための手段】
【０００５】
本発明のプロジェクタは、画像を投射する投射部と、前記画像を記憶する画像記憶部と、前記画像記憶部から前記画像を読み出し前記画像の投射前に前記画像を一時的に保存する第１メモリと、前記画像に対して合成する編集パターンを記憶する編集パターン記憶部と、前記第１メモリから読み出された前記画像を表示する表示部と、前記画像と前記編集パターンとを合成し編集画像を生成する画像処理部と、前記編集画像を一時的に保存する第２メモリと、前記第２メモリから前記編集画像を読み出し前記投射部により投射する投射制御部とを備えることを特徴とする。
【発明の効果】
【０００６】
本発明のプロジェクタによれば、聴衆に見せることを意図しない領域または画像が聴衆に認識されないようにすることができる。
【発明を実施するための最良の形態】
【０００７】
以下、図面を参照して本発明の第１の実施の形態に係るプロジェクタについて説明する。本実施の形態において、プロジェクタは携帯可能なハンディタイプのものとして説明する。図１は、実施の形態に係るプロジェクタの外観を示す図である。プロジェクタ２の前面には電源のオン、オフを行う電源スイッチ４、画像の投射を行う再生ボタン６、画像の投射の停止を行う停止ボタン８、投射する画像を次の画像に切り換える切換ボタン１０、画像を表示し該画像の編集を行う表示部１２、表示部１２に積層して配置された透明電極により構成されるタッチセンサ１４、投射する画像を選択するマルチセレクタ１６が備えられ、プロジェクタ２の上面には画像を投射する投射窓１８が備えられている。
【０００８】
図２は第１の実施の形態に係るプロジェクタのシステム構成を示すブロック図である。プロジェクタ２はＣＰＵ２０を備え、ＣＰＵ２０にはタッチセンサ１４、表示部１２の表示制御を行うモニタ表示制御部２２、操作部２４、画像を投射する投射光学系を備える投射部２６、投射する画像の編集または補正を行う画像処理部２８、投射する画像の画像データ、投射した編集画像等の画像データを記憶する画像記憶部３０、画像の一部の領域を秘匿するための編集パターンのデータを記憶する編集パターン記憶部３２、画像記憶部３０から読み出した画像を一時的に記憶する編集用バッファ３４、投射する画像を一時的に記憶する投射用バッファ３６、投射履歴を記憶する投射画像記憶部３７が接続されている。
【０００９】
ここで、操作部２４は、電源スイッチ４、再生ボタン６、停止ボタン８、切換ボタン１０、マルチセレクタ１６を備え、投射部２６は、光源であるＬＥＤ（発光ダイオード）３８の点灯及び消灯を行う電源制御部４０、投射する画像を表示するＬＣＯＳ（反射型液晶素子）４２、ＬＣＯＳ４２の表示制御を行う投射制御部４４を備えている。
【００１０】
図３は第１の実施の形態に係るプロジェクタの表示部における表示領域を説明するための図である。表示部１２には、画像記憶部３０から読み出し画像を表示する元画像表示領域４６、元画像表示領域４６に表示された画像の一部の領域を秘匿した編集画像を作成する編集画像表示領域４８、投射する画像を投射する順に表示する投射画像表示領域５０、編集パターンのアイコン表示または縮小表示を行う編集パターン表示領域５２が設けられている。また、編集画像表示領域４８のサイズは投射画像表示領域５０のサイズよりも大きく、投射画像表示領域５０のサイズは元画像表示領域４６のサイズよりも大きくなっている。また、表示部１２において元画像表示領域４６、編集画像表示領域４８、投射画像表示領域５０、編集パターン表示領域５２以外の領域は、画像がドラッグアンドドロップされた場合に当該画像を非投射画像とする処理を行う非投射指示領域となっている。
【００１１】
次に、図４に示すフローチャートを参照して、第１の実施の形態に係るプロジェクタの表示及び編集処理について説明する。電源スイッチ４が操作されプロジェクタ２の電源が投入されると、画像記憶部３０に記憶されている画像の中の５つの画像データを読み出し元画像表示領域４６に表示する（ステップＳ１）。また、このとき、元画像表示領域４６に表示される画像の画像データは編集用バッファ３４に一時的に記憶する。なお、元画像表示領域４６に表示されているスクロールキー５４をユーザがタッチすると画像記憶部３０に記憶されている画像データを順次読み出し元画像表示領域４６に表示される画像を順次変更し、新たに画像記憶部３０から読み出された画像データを編集用バッファ３４に追加し一時的に記憶する。次に、ユーザが元画像表示領域４６に表示されている画像をタッチするとタッチされた画像が選択され、選択された画像を色付枠や太枠で表示する等、選択されたことが視認可能となるように表示する（ステップＳ２）。そして、選択された画像をユーザが編集画像表示領域４８へドラッグアンドドロップすると、当該画像を編集画像表示領域４８に表示する（ステップＳ３）。例えば、図３に示す元画像表示領域４６に表示された画像５６をユーザがタッチし編集画像表示領域４８へドラッグアンドドロップすると、図５に示すように編集画像表示領域４８に画像５６が表示される。
【００１２】
そして、編集パターンの指定が行われたか、または投射画像表示領域５０への表示指示が行われたかを判定する（ステップＳ４）。例えば、図５に示す編集画像表示領域４８に表示された画像５６をユーザがタッチし投射画像表示領域５０へドラッグアンドドロップした場合には、図６に示すように投射画像表示領域５０に画像５６が表示される（ステップＳ７）。また、このとき投射画像表示領域５０に表示された画像５６の画像データを投射順序とともに投射用バッファ３６に一時的に記憶する。
【００１３】
編集画像表示領域４８に表示された画像が聴衆に見せることを意図しない領域を一部に含む場合等には、聴衆に見せることを意図しない領域を編集パターンを用いて秘匿する。即ち、ユーザは編集パターン表示領域５２に表示された編集パターン５２の中から１の編集パターンをタッチし編集パターンの指定を行い、編集画像表示領域４８へドラッグアンドドロップする。これにより、選択された編集パターンが編集画像表示領域４８に表示された画像上に表示される。ユーザは、編集画像表示領域４８に表示された編集パターンの移動、サイズの変更、回転、変形等を編集画像表示領域４８に対するタッチ操作により指示し、編集画像を生成する（ステップＳ５）。例えば、図７に示すように、編集画像表示領域４８に画像５８が表示されている時に編集パターン表示領域５２において編集パターン６０を選択し、画像５８上で移動、サイズの変更、回転、変形等を行い、ユーザが聴衆に見せることを意図しない領域に配置し、図８に示すような編集画像６２を生成する。なお、例えば、編集画像領域４８に表示された編集パターン６０にユーザが指でタッチした状態で指を動かすと指の動きに従って編集パターン６０は移動し、編集パターン６０が四角形である場合に四隅の何れかをユーザが指でタッチし指を四角形の内側に動かすと編集パターン６０は縮小し、外側に動かすと編集パターン６０は拡大する。また、ユーザが編集パターン６０に指でタッチした状態で円を描くように指を動かすと編集パターン６０は回転する。
【００１４】
次に、生成された編集画像６２をユーザが指でタッチし投射画像表示領域５０へドラッグアンドドロップすることにより、投射画像表示領域５０への表示を指示すると（ステップＳ６）、図９に示すように投射画像表示領域５０に編集画像６２を投射画像として表示する（ステップＳ７）。また、このとき投射画像表示領域５０に表示された編集画像６２の画像データを投射用バッファ３６に一時的に記憶する。
【００１５】
次に、図１０に示すフローチャートを参照して第１の実施の形態に係るプロジェクタにおける投射処理について説明する。再生ボタン６が操作されると投射画像表示領域５０に表示された投射画像のうち最初に投射する画像を投射する（ステップＳ１１）。例えば、図９に示すように投射画像表示領域５０に投射用画像が表示されている場合には投射画像表示領域５０の一番左に表示された投射画像６４の画像データを投射用バッファ３６から読み出し投射部２６により投射する。切換ボタン１０が操作された場合には（ステップＳ１２）、投射画像表示領域５０に表示されている次に投射する画像の投射を行う（ステップＳ１１）。例えば、投射画像表示領域５０に投射画像が図９に示すように表示されている場合に、投射画像６４の次に表示されている投射画像５６を投射する。また、このとき、投射した画像、それぞれの画像が投射された順序、投射された時間を投射履歴を作成するための情報として投射用バッファ３６に一時的に記憶する。
【００１６】
停止ボタン８が操作された場合には投射を終了し（ステップＳ１３）、投射用バッファ３６に記憶されている情報から投射履歴を作成し投射画像記憶部３７に記憶する（ステップＳ１４）。投射画像記憶部３７に記憶された投射履歴は議事録や講演内容の記録とすることができ、他のプロジェクタやパーソナルコンピュータ等で再生することができる。
【００１７】
投射履歴は動画として記憶してもよいし、静止画として記憶してもよい。動画として記憶する場合には、投射された画像を投射順序及び投射時間に従って記憶した画像データとなる。例えば、図９に示す投射画像表示領域５０に表示された順に画像６４を１０秒、画像５６を２０秒、画像６２を１５秒、それぞれ投射した場合には、図１１に示すように画像６４、画像５６、画像６２の順序で投射された時間に従って画像６４を１０秒、画像５６を２０秒、画像６２を１５秒記憶した動画の画像データとなる。また、投射された画像を投射順序に従って、それぞれ所定の同一時間ずつ記憶したダイジェスト版の画像データとしてもよい。例えば、所定の同一時間を５秒とする場合に、図９に示す投射画像表示領域５０に表示された順に画像６４、画像５６、画像６２をそれぞれ上述の時間投射すると、画像６４、画像５６、画像６２の順序でそれぞれ５秒ずつ記憶した動画の画像データとなる。
【００１８】
静止画として記憶する場合には、１つの投射画像に対して１つの画像ファイルを作成し投射された順序とともに記憶する。例えば、図９に示す投射画像表示領域５０に表示された順に画像６４、画像５６、画像６２をそれぞれ上述の時間投射すると、画像６４、画像５６、画像６２が静止画として記憶されると共に、１番目に画像６４が、２番目に画像５６が、３番目に画像６２が投射されたことを示す情報を記憶する。また、それぞれの画像が投射された時間を示す情報を更に記憶してもよい。投射された順序を示す情報、投射された時間を示す情報はそれぞれの画像が有するタグ情報として記憶してもよい。また、投射された画像すべてを１つの画像ファイルに記憶し、投射された画像のそれぞれがサムネイル形式で表示されるファイル形式として記憶してもよい。この場合においても、サムネイル形式で表示されるそれぞれの画像が投射された順序を示す情報を記憶してもよく、それぞれの画像が投射された時間を示す情報を更に記憶してもよい。
【００１９】
また、プロジェクタ２が音声を取得するためのマイクを備える場合には画像が投射された際の音声を取得し画像と共に記憶してもよい。
【００２０】
本実施の形態において、図９に示す投射画像表示領域５０に表示された順に画像が投射される例を用いて説明したが、投射する順序を変更することもできる。この場合には、順序を変更したい投射画像をユーザがタッチし、投射画像表示領域５０内で所望の順序の位置へドラッグアンドドロップする。これにより投射画像表示領域５０に表示される画像の順序及び投射用バッファ３６に記憶されている画像の投射順序が変更される。例えば、図９に示すように投射画像表示領域５０に投射画像が表示されている場合には、画像６４、画像５６、画像６２の順に投射するが、画像６４をユーザがタッチし画像６２の右側へドラッグアンドドロップにより移動すると、投射画像表示領域５０には画像５６、画像６２、画像６４の順に表示され、画像５６、画像６２、画像６４の順に投射される。
【００２１】
また、投射画像表示領域５０に表示された投射画像を投射しない場合には非投射画像とする処理を行う。この場合には、投射画像表示領域５０に表示された投射画像をユーザがタッチし表示部１２における元画像表示領域４６、編集画像表示領域４８、投射画像表示領域５０以外の領域である非投射指示領域へドラッグアンドドロップする。これにより投射画像表示領域５０から該投射画像は削除される。また、このとき投射用バッファ３６から該投射画像の画像データを削除する。従って、該投射画像は非投射画像となり投射は行わない。なお、元画像表示画像表示領域４６、編集画像表示領域４８に表示された画像を同様の操作、処理により非投射画像とするようにしてもよい。
【００２２】
また、投射画像表示領域５０に表示された投射画像に対して再編集を行う場合には、投射画像表示領域５０に表示された投射画像をユーザがタッチし編集画像表示領域４８へドラッグアンドドロップにより移動する。これにより投射画像表示領域５０から該投射画像は削除され、編集画像表示領域４８に該投射画像が表示される。また、投射用バッファ３６から該投射画像の画像データは削除される。そして、編集画像表示領域４８に表示された画像の再編集は図４のフローチャートのステップＳ５と同様の処理により行われる。
【００２３】
本実施の形態に係るプロジェクタによれば、画像を投射する前に表示部において表示することにより、事前に聴衆に見せることを意図しない領域または画像をチェックし、該領域または該画像を聴衆に認識されないようにすることができる。
【００２４】
上述の実施の形態ではユーザが表示部１２をタッチすることにより画像の選択、画像の各画面間の移動、画像の編集、画像の削除等の指示を行う構成を例に説明したが、マルチセレクタ１６により画像の選択、ドラッグアンドドロップによる各画面間の移動、画像の編集、画像の削除等の指示を行う構成としてもよい。
【００２５】
また、上述の実施形態においては、画像記憶部３０から読み出した５つの画像を元画像表示領域４６に表示する構成を例に説明したが、元画像表示領域４６に表示される画像の数はこれに限られるものではない。また、投射画像表示領域５０に表示される画像の数についても同様に上述の実施の形態に限られるものではない。
【００２６】
次に、図面を参照して本発明の第２の実施の形態に係るプロジェクタについて説明する。第２の実施の形態は、第１の実施の形態に係るプロジェクタの表示部における表示領域の構成を変更したものである。従って、上述のプロジェクタ２と同一の構成についての詳細な説明は省略し、異なる部分のみについて詳細に説明する。また、上述のプロジェクタ２の構成と同一の構成には同一の符号を付して説明する。
【００２７】
図１２は第２の実施の形態に係るプロジェクタの表示部における表示領域を説明するための図である。表示部１２には元画像表示領域４６、編集画像表示領域４８、投射画像表示領域５０、編集パターン表示領域５２、画像を非投射画像とする処理を行うゴミ箱６６が設けられている。
【００２８】
次に、図１３に示すフローチャートを参照して第２の実施の形態に係るプロジェクタの処理について説明する。ステップＳ２１〜Ｓ２３における処理は、図４に示すフローチャートのステップＳ１〜Ｓ３における処理とそれぞれ同様の処理であるため説明は省略する。なお、ステップＳ２３において元画像表示領域４６に表示した画像のうち編集画像表示領域４８に近い位置に表示した画像、即ち、図１２に示す元画面表示画像４６において一番上に表示した画像を順次編集画像表示領域４８に移動し表示するようにしてもよい。
【００２９】
そして、編集画像表示領域４８に表示されている画像に対する編集に用いられる編集パターンの指定が行われたか、投射画像表示領域５０への表示指示が行われたか、またはゴミ箱６６への移動指示が行われたかを判定する（ステップＳ２４）。
【００３０】
ここで、編集画像表示領域４８に表示された画像が聴衆に見せることを意図しない領域を一部に含む場合等には、ユーザは聴衆に見せることを意図しない領域を編集パターンを用いて秘匿するために編集パターンの指定を行う。即ち、図４のフローチャートにおけるステップＳ５と同様の処理により編集画像表示領域４８に表示された画像と編集パターンとを用いて編集画像を生成する（ステップＳ２５）。そして、図４のフローチャートにおけるステップＳ６と同様の処理により生成した編集画像を投射画像表示領域５０への表示を指示し（ステップＳ２６）、投射画像表示領域５０に編集画像を投射画像として表示する（ステップＳ２７）。このとき投射画像表示領域５０に表示された投射画像の画像データを投射用バッファ３６に一時的に記憶する。
【００３１】
また、ユーザは編集画像表示領域４８に表示された画像に対して編集を行う必要がないと判断した場合には編集画像表示領域４８に表示された画像をタッチし投射画像表示領域５０へドラッグアンドドロップする。これにより当該画像は投射画像表示領域５０に表示される（ステップＳ２７）。このとき投射画像表示領域５０に表示された投射画像の画像データを投射用バッファ３６に一時的に記憶する。また、ユーザは編集画像表示領域４８に表示された画像が不要と判断した場合には、当該画像をタッチしゴミ箱６６へドラッグアンドドロップする。これにより当該画像を非投射画像とする処理を行う（ステップＳ２８）。
【００３２】
投射画像表示領域５０に表示された投射画像については図１０に示すフローチャートにおける処理と同様に投射バッファ３６に記憶された画像を読み出し投射部２６により投射し、投射画像記憶部３７に投射履歴を記憶する。なお、再生ボタン６の操作による投射の開始指示、切換ボタン１０の操作による投射画像の切り換え指示に代えて、編集画像表示領域４８に表示された画像をユーザがタッチし投射画像表示領域５０へのドラッグアンドドロップを行うことで投射の開始指示、投射画像の切換指示としてもよい。
【００３３】
なお、本実施の形態において投射画像表示領域５０には１つの画像を表示するものとして説明したが、第１の実施の形態と同様に複数の画像を表示してもよい。
【図面の簡単な説明】
【００３４】
【図１】本発明の実施の形態に係るプロジェクタの外観を示す図である。
【図２】本発明の実施の形態に係るプロジェクタのシステム構成を示すブロック図である。
【図３】本発明の第１の実施の形態に係るプロジェクタの表示部における表示領域を説明するための図である。
【図４】本発明の第１の実施の形態に係るプロジェクタの表示及び編集処理を示すフローチャートである。
【図５】本発明の第１の実施の形態に係るプロジェクタの表示部における表示領域を説明するための図である。
【図６】本発明の第１の実施の形態に係るプロジェクタの表示部における表示領域を説明するための図である。
【図７】本発明の第１の実施の形態に係るプロジェクタの表示部における表示領域を説明するための図である。
【図８】本発明の第１の実施の形態に係るプロジェクタの表示部における表示領域を説明するための図である。
【図９】本発明の第１の実施の形態に係るプロジェクタの表示部における表示領域を説明するための図である。
【図１０】本発明の第１の実施の形態に係るプロジェクタの投射処理を示すフローチャートである。
【図１１】本発明の第１の実施の形態に係るプロジェクタの投射履歴を説明するための図である。
【図１２】本発明の第２の実施の形態に係るプロジェクタの表示部における表示領域を説明するための図である。
【図１３】本発明の第２の実施の形態に係るプロジェクタの表示及び編集処理を示すフローチャートである。
【符号の説明】
【００３５】
２…プロジェクタ、６…再生ボタン、１０…切換ボタン、１２…表示部、１４…タッチセンサ、１８…投影窓、２０…ＣＰＵ、２８…画像処理部、３０…画像記憶部、３２…編集パターン記憶部、３４…編集用バッファ、３６…投射用バッファ、３７…投射画像記憶部、３８…ＬＥＤ、４２…ＬＣＯＳ。
【図１】
2010039410.tif 000003
【図２】
2010039410.tif 000004
【図３】
2010039410.tif 000005
【図４】
2010039410.tif 000006
【図５】
2010039410.tif 000007
【図６】
2010039410.tif 000008
【図７】
2010039410.tif 000009
【図８】
2010039410.tif 000010
【図９】
2010039410.tif 000011
【図１０】
2010039410.tif 000012
【図１１】
2010039410.tif 000013
【図１２】
2010039410.tif 000014
【図１３】
2010039410.tif 000015